(57)【要約】【課題】  従来の印刷装置を使用してコストをかけずに、プラテン印字の危険性を回避して印刷出来る印刷装置を提供すること。【解決手段】  用紙の形状があらかじめわかっている場合、用紙の最後の位置を検出するセンサー（PEセンサー）から割り出される用紙後端位置を延長することにより印字を行う。【選択図】  図１
2006327081.tif 000002
【特許請求の範囲】
【請求項１】
用紙の形状があらかじめわかっている場合、用紙の最後の位置を検出するセンサー（PEセンサー）から割り出される用紙後端位置を延長することにより印字を行う事を特徴とする印刷装置。
【請求項２】
請求項１で用紙後端位置を延長した部分の印字を行う際に、延長している部分についてはプラテン印字を行わない様、はみ出している用紙部分のみを印字するように左右端の印字位置を限定して印字を行うことを特徴とする印刷装置。
【請求項３】
請求項１で用紙後端位置を延長した部分の印字を行う際に、延長している部分についてはプラテン印字を行わない様、通常フチなし印字で行う状態で使用ノズルをしぼって印字を行い、万が一用紙が無い部分に印字が行われた場合でもプラテンに印字を行わないようにすることを特徴とする印刷装置。
【発明の詳細な説明】
【技術分野】
【０００１】
本発明は印刷装置に関する発明である。
【背景技術】
【０００２】
印刷装置では用紙の後端を検出してそれ以上の印字を行わないようにして、無駄な印刷を行わないようし、インクの消費を押さえるとともに用紙を支えるプラテン部分をインクで汚してしまわないようにしている。しかしながら例えばバインダに使用する見出し用ラベル用紙（図４）のように用紙の後端の位置がそろっていない用紙に印字する場合、PEセンサーの位置がその用紙の最大用紙長部分を検出出来なかった場合はPEセンサーから割り出される用紙後端位置を過ぎてしまい、はみ出している用紙部分（例えば見出し部分）が用紙後端より先の部分と判断されてしまい印字を行うことが出来なかった。
【０００３】
又、別の従来例としては、特許文献１及び特許文献２をあげることが出来る。
【特許文献１】特開２００２−１２７５６９号公報
【特許文献２】特開２００３−０７２１６９号公報
【発明の開示】
【発明が解決しようとする課題】
【０００４】
上記の解決方法としてはPEセンサーを複数設ける、あるいはPEセンサーの検出位置を移動可能にするなどが考えられるがいずれもコストがかかってしまう解決法である。
【課題を解決するための手段】
【０００５】
本発明は、前記の問題点を解決するためになされたもので、コストをかけず従来の装置を使用して、割り出す後端位置を延長して行い、かつプラテン印字の危険性を回避して印刷出来ることを特徴とする印刷装置を提供することである。
【発明の効果】
【０００６】
以上説明したように、本発明によれば、コストをかけず従来の装置を使用して、割り出す後端位置を延長して行い、かつプラテン印字の危険性を回避して印刷出来ることを特徴とする印刷装置を提供することができる。
【発明を実施するための最良の形態】
【０００７】
次に、本発明の詳細を実施例の記述に従って説明する。
【０００８】
図１は第１の実施形態における印刷システムの構成を示すブロック図である。この印刷システムは、ホストコンピュータ２０およびプリンタ４０がネットワーク６０を介して接続され、ホストコンピュータ２０から送信される印刷ジョブをプリンタ４０で印刷する。
【０００９】
ホストコンピュータ２０は、ＲＯＭ２３に記憶された文書処理プログラムなどに基づき、図形、イメージ、文字、表（表計算などを含む）などが混在した文書の処理を実行するＣＰＵ２１を有する。ＣＰＵ２１は、システムバス２４に接続された各デバイスを総括的に制御する。ＲＯＭ２３には、ＣＰＵ２１によって実行される制御プログラムであるオペレーティングプログラム（以下ＯＳ）などが格納されている。
【００１０】
ＲＡＭ２２はＣＰＵ２１の主メモリ、ワークエリアなどとして機能する。キーボードコントローラ（ＫＢＣ）２５はキーボード２９や図示しないポインティングデバイスからのキー入力を制御する。ＣＲＴコントローラ（ＣＲＴＣ）２６はＣＲＴディスプレイ（ＣＲＴ）３０の表示を制御する。ディスクコントローラ（ＤＫＣ）２７は、ハードディスク（ＨＤ）、フロッピー（登録商標）ディスク（ＦＤ）などの外部メモリ３１とのアクセスを制御する。外部メモリ３１には、ブートプログラム、各種アプリケーション、フォントデータ、ユーザファイル、編集ファイル、文字イメージデータ生成プログラム、プリンタ制御コマンド生成プログラム（以下、プリンタドライバという）などが記憶されている。
【００１１】
２８はプリンタコントローラ（ＰＲＴＣ）であり、所定の双方向性インターフェース（インターフェース）を介してプリンタに接続され、プリンタとの通信制御処理を実行するが、本実施形態では、ネットワークコントローラ３２（ＮＥＴＣ）により、所定の双方向インターフェースを介してＬＡＮなどのネットワーク６０に接続されたプリンタ４０や他のコンピュータとの通信制御処理を実行する。
【００１２】
一方、プリンタ４０は、プリンタＣＰＵ４２を有し、ＲＯＭ４３に記憶された制御プログラムに基づき、システムバス４５に接続された印刷部インターフェース（Ｉ／Ｆ）４６を介して印刷部（プリンタエンジン）４７に出力情報としての画像信号を出力する。
【００１３】
ＲＯＭ４３には、ＣＰＵ４２によって実行される制御プログラムなどが格納されている。ＣＰＵ４２は、入力部４８を介してホストコンピュータ２０と通信処理可能となっており、プリンタ内の情報などをホストコンピュータ２０に通知する。本実施形態では、入力部４８から所定の双方向インターフェースを介して、ＬＡＮなどのネットワーク６０に接続されたホストコンピュータ２０、他のコンピュータあるいは他のプリンタに対して通信処理可能となっている。
【００１４】
ＲＡＭ４９はＣＰＵ４２の主メモリ、ワークエリアなどとして機能する。外部メモリ４４は、ＩＣカード等であり、メモリコントローラ（ＭＣ）５０によりアクセス制御される。また、操作部４１には、操作パネルで操作するためのスイッチおよびＬＥＤ表示器などが配されており、操作部４１を用いて外部メモリ４４にプリンタモード設定情報を記憶させることができる。また図はネットワークに接続されているプリンタを想定しているが、今回のシステムはこのことに限定されるものではない。ホストコンピュータ２０からＩ/Ｆを介して直接プリンタ４０に接続するシステムにおいても可能である。
【００１５】
図２は、本発明の実施形態としてのプリント装置の斜視図である。図２において、キャリッジ２０１上にはプリントヘッド２０２が搭載されており、そのキャリッジ２０１はガイドレール上２０３，２０４にガイドされて左右に移動する。２０５はローラ部で、プリント媒体２０６の給送を行う。図３は、図２に示したプリント装置の制御系のブロック構成図である。
【００１６】
図３において、ＣＰＵ３００は、このプリント装置各部の動作の制御処理やデータ処理等を実行する。ＲＯＭ３０１にはその処理手順等が格納され、またＲＡＭ３０２は上記処理実行のワークエリアとして用いられる。ＥＥＰＲＯＭ３０３は印刷動作に必要な設定情報を記憶する。
【００１７】
プリントヘッド３０９は、例えば、インクを吐出するインクジェットプリントヘッドであり、そのインク吐出は、ＣＰＵ３００が電気熱変換体の駆動データおよび駆動制御信号をヘッドドライバ３０８に供給することにより行われる。すなわち、電気熱変換体が発生する熱エネルギーによりインクに膜沸騰が生じて、そのインクが吐出口から吐出するようになっている。またプリントヘッド内にもＥＥＰＲＯＭ３１０がありヘッドの設定に必要な情報を記憶する。さらにＣＰＵ３００は、キャリッジを移動させるためのキャリッジモータ３０５やローラ部を回転させるための紙送りモータ３０７を、それぞれモータドライバ３０４および３０６を介して制御する。
【００１８】
図４は後端位置が違う用紙の例を示した図である。用紙４０１はバインダの見出し用ラベル等で使用する用紙で後端位置が異なっている。４０２はＰＥセンサーが用紙を通過する位置を示した例である。４０２の位置でＰＥセンサーが通過した場合は、従来の用紙後端処理の場合は、図中の４０３の位置を用紙後端と認識してしまう。この場合は４０３以降は印字領域とはならないために見出し用ラベルのラベル部分の印字が行えなくなってしまう。４０４は通常の用紙後端位置の検出処理にマージンを加えた場合を示した図である。
【００１９】
この場合印字領域は４０３と４０４の間の部分が拡張されており結果的に用紙４０１の見出し部分に印字を行うことが可能になる。ただしこの時に領域４０５（網掛け部分）に関しても印字可能となるため、もしこの部分に印字データがあるようなデータを印字した場合は用紙の無い部分に印字を行ってしまうため用紙下のプラテン部分を汚してしまう可能性がある。このため４０６のようにあらかじめ用紙の形状がわかっている場合は左右のマージンを４０６の位置のみに印字できるようにすることによりプラテン印字を回避することが出来る。
【００２０】
図５は印字ヘッドのノズルをしぼって印字した場合を示した図である。５０１の印字ヘッドに対して５０２はノズルを示している。また５０３はプラテン部分をあらわし、５０４はそのプラテン部分に切り込みを入れた部分である。これは用紙のフチなし印字を行う場合を想定した切り込みでフチなし印字時の端部分で印字が行われる場合に用紙にかからない部分のインクがプラテンにつかずに下に落ちるようにしている部分である。これを利用して図4の場合の４０３から４０４の間の印字領域を印字する場合には、プラテンの切り込み部分である位置に対応したヘッドのノズル５０５部分のみを使用した印字を行うことにより用紙の無い部分に印字を行った場合でもプラテン上を汚すことなく印字を行うことが可能になる。
【図面の簡単な説明】
【００２１】
【図１】印刷システムの構成を示すブロック図である。
【図２】プリント装置の斜視図である。
【図３】プリント装置の制御系のブロック構成図である。
【図４】後端位置の違う用紙例である。
【図５】ノズルをしぼった場合の位置である。
【符号の説明】
【００２２】
２０  ホストコンピュータ
２１  ＣＰＵ
２２  ＲＡＭ
２３  ＲＯＭ
２４  システムバス
２５  キーボードコントローラ（ＫＢＣ）
２６  ＣＲＴコントローラ（ＣＲＴＣ）
２７  ディスクコントローラ（ＤＫＣ）
２８  プリンタコントローラ（ＰＲＴＣ）
２９  キーボード
３０  ＣＲＴディスプレイ（ＣＲＴ）
３１  外部メモリ（ハードディスク＜ＨＤ＞、フロッピー（登録商標）ディスク＜ＦＤ＞など）
３２  ネットワークコントローラ（ＮＥＴＣ）
４０  プリンタ
４１  プリンタ操作部
４２  プリンタＣＰＵ
４３  プリンタＲＯＭ
４４  プリンタ外部メモリ
４５  プリンタシステムバス
４６  印刷部インターフェース（Ｉ／Ｆ）
４７  印刷部（プリンタエンジン）
４８  プリンタ入力部
４９  プリンタＲＡＭ
５０  プリンタメモリコントローラ（ＭＣ）
６０  ネットワーク
２０１  キャリッジ
２０２  プリントヘッド
２０３  ガイドレール
２０４  ガイドレール
２０５  ローラ部
２０６  プリント媒体
３００  ＣＰＵ
３０１  ＲＯＭ
３０２  ＲＡＭ
３０３  ＥＥＰＲＯＭ
３０４  モータドライバ
３０５  キャリッジモータ
３０６  モータドライバ
３０７  紙送りモータ
３０８  ヘッドドライバ
３０９  プリントヘッド
３１０  プリントヘッドＥＥＰＲＯＭ
４０１  用紙後端位置が違う用紙
４０２  ＰＥセンサーの通過位置
４０３  通常の用紙後端位置
４０４  延長した用紙後端位置
４０５  延長した印字領域
４０６  左右マージンの限定位置
５０１  プリントヘッド
５０２  ノズル
５０３  プラテン
５０４  プラテン上の溝
５０５  ノズル絞り位置
【図１】
2006327081.tif 000003
【図２】
2006327081.tif 000004
【図３】
2006327081.tif 000005
【図４】
2006327081.tif 000006
【図５】
2006327081.tif 000007